(57)【要約】【課題】１枚のＩＣカードで、施錠開錠以外の付加的な利用目的の識別・実行を、簡易型システムにより可能にする。【解決手段】ＩＣカード式電子錠システム１は、カード情報を送信する機能を有するＩＣカード２と、ＩＣカード２の提示によりカード情報を受信する機能を有するカードリーダ３と、施錠及び解錠を行なうカード式電子錠５と、カードリーダ３からのカード情報に基づきカード式電子錠を制御する制御装置４と、予め特定の命令に対応したＩＣカード２のカードリーダ３への提示パターンを判断する判断手段３ａとを有し、制御装置４は、提示パターンに基づき施錠及び解錠の実行と、施錠及び解錠の実行以外の命令を実行する。【選択図】図１
2005336733.tif 000002
【特許請求の範囲】
【請求項１】
カード情報を送信する機能を有するＩＣカードと、
前記ＩＣカードの提示によりカード情報を受信する機能を有するカードリーダと、
施錠及び解錠を行なうカード式電子錠と、
前記カードリーダからの前記カード情報に基づき前記カード式電子錠を制御する制御装置と、
予め特定の命令に対応した前記ＩＣカードの前記カードリーダへの提示パターンを判断する判断手段とを有し、
前記制御装置は、前記提示パターンに基づき施錠及び解錠の実行と、施錠及び解錠の実行以外の命令を実行することを特徴とするＩＣカード式電子錠システム。
【請求項２】
前記提示パターンが提示時間、提示回数の少なくともいずれかであることを特徴とする請求項１に記載のＩＣカード式電子錠システム。
【請求項３】
前記施錠及び解錠の実行以外の命令が、警備開始または警備停止の命令を含むことを特徴とする請求項１または請求項２に記載のＩＣカード式電子錠システム。
【請求項４】
前記警備開始または警備停止の命令を報知により実行する報知手段を有することを特徴とする請求項３に記載のＩＣカード式電子錠システム。    
【請求項５】
前記提示パターンに基づき施錠の実行と、警備開始の命令を実行することを特徴とする請求項１乃至請求項４のいずれか１項に記載のＩＣカード式電子錠システム。
【請求項６】
前記提示パターンに基づき解錠の実行と、警備停止の命令を実行することを特徴とする請求項１乃至請求項４のいずれか１項に記載のＩＣカード式電子錠システム。
【発明の詳細な説明】
【技術分野】
【０００１】
この発明は、ＩＣチップを埋め込んだＩＣカードをカードリーダにかざす等して提示することで例えば扉の電子錠などの施解錠を行なうＩＣカード式電子錠システムに関するものである。
【背景技術】
【０００２】
従来、ＩＣチップを埋め込んだＩＣカードをカードリーダにかざしたり、差し込むことにより、扉の電気錠などの施解錠を行なうＩＣカード式電子錠システムは存在する（例えば特許文献１及び特許文献２）。
【０００３】
また、ＩＣチップを利用した個人認証においては、ＩＣカードをカードリーダにかざして提示することによりデータの通信をして個人認証を実施している（例えば特許文献３及び特許文献４）。
【特許文献１】特許第２９２７０８５号公報（第１頁〜第４頁、図１〜図３）
【特許文献２】特許第２７８５８９１号公報（第１頁〜第５頁、図１〜図６）
【特許文献３】特開２００３−２９６７１９号公報（第１頁〜第８頁、図１〜図１３）
【特許文献４】特開２００２−１９９４６８号公報（第１頁〜第７頁、図１〜図５）
【発明の開示】
【発明が解決しようとする課題】
【０００４】
このようなＩＣカードは、記憶容量が大きく認証速度が速いため、ユビキタス社会のカードとして導入が著しく増えている。しかしながら、あくまでも道具の一つであり、ＩＣカード所有者の利用目的を判断する機能は有していないため目的毎に別々のカードが必要となり、利用範囲が広まるにつれ多種多様なカードの保有と煩雑な使い分けを要求されている。
【０００５】
例えば、マンション各住戸の玄関扉にＩＣカード１００をキーとして使用し、同時に警備警戒システムを併設するような場合、図４に示すように、玄関の扉の開閉許可を制御するカードリーダ１０１と、各住戸の警備を制御するカードリーダ１０２を両方置く必要ある。即ち、１つのＩＣカード１００でもカードリーダ１０１によってカード制御盤１２０が電子錠の施錠・解錠制御の出力を行ない、カードリーダ１０１によってカード制御盤１２１が警備ＯＮ−ＯＦＦ制御の出力を行うこととなるため、それぞれ制御系統を別々に設けなければならず、機器構成が重複して不経済となる問題点があった。
【０００６】
また、図５に示すように、カードリーダ１０３を一つにまとめても、ＩＣカード使用者の利用用途を判断できないため、警備をＯＮ−ＯＦＦする警備用ＩＣカード１１１と、扉の開閉を制御する扉用ＩＣカード１１０を分ける必要がある。即ち、警備用ＩＣカード１１１と扉用ＩＣカード１１０とを用い、１つのカードリーダ１０３と１つのカード制御盤１２３によって、扉用ＩＣカード１１０の提示の場合は、電子錠の施錠・解錠制御の出力を行ない、警備用ＩＣカード１１１の提示の場合は、警備ＯＮ−ＯＦＦ制御の出力を行なう。例えば、家が不在となる外出時にＩＣカードをかざして提示し施錠し、かつ警備をＯＮする場合と、家族の誰かが在宅時の場合の外出時に施錠だけを行ないたい場合との使い分けを１枚のＩＣカードでは判断できないため、それぞれ別々のＩＣカードが必要である。
【０００７】
この発明は、かかる点に鑑みてなされたもので、１枚のＩＣカードで、施錠開錠以外の付加的な利用目的の識別・実行を、簡易型システムにより可能にするＩＣカード式電子錠システムを提供することを目的としている。
【課題を解決するための手段】
【０００８】
前記課題を解決し、かつ目的を達成するために、この発明は、以下のように構成した。
【０００９】
請求項１に記載の発明は、カード情報を送信する機能を有するＩＣカードと、  前記ＩＣカードの提示によりカード情報を受信する機能を有するカードリーダと、
施錠及び解錠を行なうカード式電子錠と、
前記カードリーダからの前記カード情報に基づき前記カード式電子錠を制御する制御装置と、
予め特定の命令に対応した前記ＩＣカードの前記カードリーダへの提示パターンを判断する判断手段とを有し、
前記制御装置は、前記提示パターンに基づき施錠及び解錠の実行と、施錠及び解錠の実行以外の命令を実行することを特徴とするＩＣカード式電子錠システムである。
【００１０】
請求項２に記載の発明は、前記提示パターンが提示時間、提示回数の少なくともいずれかであることを特徴とする請求項１に記載のＩＣカード式電子錠システムである。
【００１１】
請求項３に記載の発明は、前記施錠及び解錠の実行以外の命令が、警備開始または警備停止の命令を含むことを特徴とする請求項１または請求項２に記載のＩＣカード式電子錠システムである。
【００１２】
請求項４に記載の発明は、前記警備開始または警備停止の命令を報知により実行する報知手段を備えることを特徴とする請求項３に記載のＩＣカード式電子錠システムである。
【００１３】
請求項５に記載の発明は、前記提示パターンに基づき施錠の実行と、警備開始の命令を実行することを特徴とする請求項１乃至請求項４のいずれか１項に記載のＩＣカード式電子錠システムである。
【００１４】
請求項６に記載の発明は、前記提示パターンに基づき解錠の実行と、警備停止の命令を実行することを特徴とする請求項１乃至請求項４のいずれか１項に記載のＩＣカード式電子錠システムである。
【発明の効果】
【００１５】
前記構成により、この発明は、以下のような効果を有する。
【００１６】
請求項１に記載の発明によれば、予め特定の命令に対応したＩＣカードのカードリーダへの提示パターンに基づき施錠及び解錠の実行と、施錠及び解錠の実行以外の命令を実行し、１枚のＩＣカードで、施錠開錠以外の付加的な利用目的の識別・実行を、簡易型システムにより可能にする。
【００１７】
請求項２に記載の発明によれば、提示パターンが提示時間、提示回数の少なくともいずれかであり、特別の機器を用いることなく、カード所有者の複数の利用目的の識別・実行を可能にすることができる。
【００１８】
請求項３に記載の発明によれば、施錠及び解錠の実行以外の命令が、警備開始または警備停止の命令を含み、ＩＣカードの提示パターンに基づき施錠及び解錠の実行と、警備開始または警備停止の命令を行なうことができる。
【００１９】
請求項４に記載の発明によれば、警備開始または警備停止の命令を報知により実行し、警備開始または警備停止を確実に知らせることができる。報知手段としては、例えばア）音声（聴覚に訴えるもの）、イ）電光または液晶表示等（視覚に訴えるもの）、ウ）振動（携帯電話の振動のように体感に訴えるもの。）、エ）点字など（触覚に訴えるもの）、オ）その他の手段により報知するものが含まれる。
【００２０】
請求項５に記載の発明によれば、ＩＣカードの提示パターンに基づき施錠の実行と、警備開始の命令を実行し、多数枚のＩＣカードを持つことなく、１枚の同一のＩＣカードによる簡単な操作で安心して外出・退社することができる。
【００２１】
請求項６に記載の発明によれば、ＩＣカードの提示パターンに基づき解錠の実行と、警備停止の命令を実行し、多数枚のＩＣカードを持つことなく、１枚の同一のＩＣカードによる簡単な操作で安心して帰宅・出社することができる。
【発明を実施するための最良の形態】
【００２２】
以下、この発明のＩＣカード式電子錠システムの実施の形態について説明するが、この発明は、この実施の形態に限定されない。また、この発明の実施の形態は、発明の最も好ましい形態を示すものであり、この発明はこれに限定されない。
【００２３】
図１はＩＣカード式電子錠システムの概略構成図である。この実施の形態のＩＣカード式電子錠システム１は、ＩＣカード２、カードリーダ３、制御装置４、カード式電子錠５及び機器６を有する。ＩＣカード２は、ＩＣチップ及びアンテナ等が内蔵され、カードリーダ３からの信号によりカード情報を送信する機能を有する。
【００２４】
カードリーダ３は、ＩＣチップ及びアンテナ等が内蔵され、１枚のＩＣカード２をかざして提示することにより、カードリーダ３はカード情報とかざしによる提示パターンを信号として出力する。例えば、ＩＣカード２をかざして提示している提示時間、あるいは提示回数を計測することにより、この提示時間、あるいは提示回数に応じた信号を出力する。
【００２５】
制御装置４は、ＣＰＵ、メモリ等で構成され、判断手段４ａを有する。この判断手段４ａは、カードリーダ３からのカード情報を識別・判断したり、提示パターンを目的と結びつけ判断する。
【００２６】
カード式電子錠５は、扉の施錠及び解錠を行なう。機器６は、例えば警備機器類であり、警戒センサー、警備センタに通報する機器、警備灯や警備ホーン等で構成され、警備開始または警備停止の命令を報知により実行する報知手段を含む。このように、制御装置４は、カードリーダ３からのカード情報、提示パターンに基づきカード式電子錠５を制御し、また機器６を制御する。
【００２７】
この実施の形態の判断手段４ａは、予め特定の命令に対応したＩＣカード２のカードリーダ３への提示パターンの判断を行なう。この提示パターンが提示時間、提示回数の少なくともいずれかである。例えば、通常にＩＣカードをかざす場合、ＩＣカードを数回続けてかざす場合、ＩＣカード２を一定時間かざす場合等の提示パターンにより違う出力がだせ、カード利用者の意思を伝達できる。
【００２８】
制御装置４は、提示パターンに基づき施錠及び解錠の実行と、施錠及び解錠の実行以外の命令を実行する。例えば、判断手段４ａに、予め特定の命令に対応したＩＣカード２のカードリーダ３への提示パターンを記憶しておくことで、カードリーダ３からの提示パターンと比較して、かざした提示時間を判断し、またかざした提示回数を判断する。
【００２９】
この実施の形態では、制御装置４に判断手段４ａを備えるが、カードリーダ３に判断手段を備えてもよい。この場合は、ＩＣカード２をかざして提示している提示時間、あるいは提示回数を判断手段が計測することにより、ＩＣカード所有者が何の行為を目的にＩＣカード２をかざしたかを判断し、カードリーダ３から制御装置４にその目的に応じた信号を出力する。
【００３０】
図２はＩＣカード式電子錠システムのフローである。この実施の形態は、外出・退社時のフローである。スタートで待機状態になり、ステップａ１において、ＩＣカードが識別される。このＩＣカードの提示パターンが、例えば１秒以下の提示であると（ステップａ２）、カード式電子錠の施錠を行ない、音声又は電光表示等を行なう（ステップａ３）。
【００３１】
そして、ステップａ４において、カード識別を行ない、ＩＣカードの提示パターンが、例えばタイマーの計測が３秒以上であると（ステップａ５）、警備を開始し、音声又は電光表示等を行なう（ステップａ６）。
【００３２】
この実施の形態では、時間カウンターの場合であるが、回数カウンターの場合でも同様に構成される。
【００３３】
また、この実施の形態では、ＩＣカード２の提示パターンに基づき施錠の実行と、警備開始の命令を実行し、１枚の同一のＩＣカードのみで行なう簡単な操作で安心して外出・退社することができる。
【００３４】
図３はＩＣカード式電子錠システムのフローである。この実施の形態は、帰宅・出社時のフローである。スタートで待機状態であり、ステップｂ１において、ＩＣカードが識別されると、このＩＣカードの提示パターンによって、例えば１〜２秒の提示であると（ステップｂ２）、カード式電子錠の開錠を行ない、警備を停止する（ステップｂ３）。
【００３５】
そして、音声又は電光表示等を行なう（ステップｂ３）。この実施の形態では、ＩＣカードの提示パターンが提示時間によっているが、提示回数でもよい。
【００３６】
この実施の形態では、ＩＣカード２の提示パターンに基づき解錠の実行と、警備停止の命令を実行し、１枚の同一のＩＣカードのみで行なう簡単な操作で安心して帰宅・出社することができる。
【００３７】
このように、このＩＣカード式電子錠システムでは、予め特定の命令に対応したＩＣカード２のカードリーダ３への提示パターンを記憶し、ＩＣカード２の提示パターンに基づき施錠及び解錠の実行と、施錠及び解錠の実行以外の命令を実行することで、１枚のＩＣカードで、施錠開錠以外の付加的な利用目的の識別・実行を、簡易型システムにより可能にする。
【００３８】
ＩＣカード２の提示パターンが提示時間、提示回数の少なくともいずれかであり、特別の機器を用いることなく、特別の機器を用いることなく、カード所有者の複数の利用目的の識別・実行を可能にすることができる。
【００３９】
また、この実施の形態では、警備開始または警備停止の命令を、音声、表示による報知で実行することで、警備開始または警備停止を確実に知らせることができる。
【００４０】
また、施錠及び解錠の実行以外の命令は、警備開始または警備停止の命令を含み、ＩＣカード２の提示パターンに基づき施錠及び解錠の実行と、警備開始または警備停止の命令を行なうことができる。
【００４１】
また、図２に示すフローは、１回目に施錠であり、３秒以上かざして提示すると警備ＯＮであるが、３秒という提示時間に対する限定ではなく、５秒という設定でも、１０秒という設定でもかまわない。また、連続して数回かざす提示回数により、判断してもかまわない。例えば、１回かざすと施錠、２回かざすと警備ＯＮ、また１回かざすと施錠、３秒かざすと警備ＯＮ、また１回かざすと施錠、１０秒かざす警備ＯＮ、また１回かざすと出社、５秒かざすと外出、また５秒と５秒と２回かざすと退社、また１０秒連続でかざすとメンテナンスモード、また１回かざして退出、１０秒かざすと電源ＯＦＦ、また５秒かざして、宅配ロッカーの着荷拒否等とすることができる。
【００４２】
また、ＩＣカードをかざして提示した時間を測定し、また１回かざすとピとなり、３秒かざすとピーの後に警備を開始しますなどと音声案内を出してもよい。  また、一定時間内に同じＩＣカードをかざした提示回数を測定してもよく、この場合も、回数による連動動作については、音声案内を行なうことができる。
【００４３】
このようにＩＣカード式電子錠システムは、カードリーダ３にＩＣカード２をかざして提示するパターンを変えることにより、連動機器に対して、カード利用者の意思を伝達しようとするものである。
【００４４】
１つのカードリーダ３に対して、１つのＩＣカード２でかざす提示回数やかざす提示時間を変えることにより、カード所有者の利用目的をＩＣカード式電子錠システム（連動する機器を含む）に伝達することは、今後のますます進むユビキタス社会に向けたＩＣカード２の導入において、少ないカード枚数で多目的、多用途に対応できる点において、この発明は非常に重要な地位を占めることができる。
【産業上の利用可能性】
【００４５】
マンションの各住戸の玄関扉や、戸建て住宅の玄関扉にＩＣカード式電子錠システムを導入するにあたり、警備システムとの連動は、社会情勢を考えると不可避であり、１つのカードリーダ３で１枚のＩＣカード２で、所有者の複数の付加的利用目的を伝達する仕組みが必要とされている。
【００４６】
また、今後、社会全体がユビキタス化され、ＩＣカードに伴う連動機器がますます増加していく中で、少ないカード枚数でそれらに利用者の意思を伝達するための簡易型システムのニーズは高い。
【図面の簡単な説明】
【００４７】
【図１】ＩＣカード式電子錠システムの概略構成図である。
【図２】ＩＣカード式電子錠システムのフローである。
【図３】ＩＣカード式電子錠システムのフローである。
【図４】従来のＩＣカード式電子錠システムの概略構成図である。
【図５】従来のＩＣカード式電子錠システムの概略構成図である。
【符号の説明】
【００４８】
１  ＩＣカード式電子錠システム
２  ＩＣカード
３  カードリーダ
４  制御装置
４ａ  判断手段
５  カード式電子錠
６  機器
【図１】
2005336733.tif 000003
【図２】
2005336733.tif 000004
【図３】
2005336733.tif 000005
【図４】
2005336733.tif 000006
【図５】
2005336733.tif 000007